(57)【要約】【課題】係合部の係脱を把手の引出し作用と同期して確実に行うことができるともに、引出しを引き出す際に、把手に対し偏心した力が加わった場合でも、長寸化、複雑化することなく把手の操作をスムーズに行うことができる引出しのラッチ作動機構を提供すること。【解決手段】引出し２の正面板３の前面に設けた把手５と、該把手５の操作と連動して前後摺動するスライド軸５９と、該スライド軸５９と連動してスライド軸５９と直行する方向に摺動する係合部４９と該係合部４９が係脱する筐体側の被係合部とを備えたラッチ装置３３と、を有する引出しのラッチ作動機構において、把手５を、正面板３の前方に突出する左右または上下に広幅の手掛け部６と、該手掛け部６から後方に延設された広幅の摺動部７と、該摺動部７の後端でスライド軸５９と螺着される取付部８とを備えるものとし、正面板３に、摺動部７を前後摺動可能かつ回動不能にガイドする開口部３ｂを設けた。【選択図】図３
2007224533.tif 000002
【特許請求の範囲】
【請求項１】
引出しの正面板の前面に設けたラッチ操作用の把手と、該把手の操作と連動して前後摺動するスライド軸と、該スライド軸と連動してスライド軸と直行する方向に摺動する係合部と該係合部が係脱する筐体側の被係合部とを備えたラッチ装置と、を有する引出しのラッチ作動機構において、
前記把手を、前記正面板の前方に突出する左右または上下に広幅の手掛け部と、該手掛け部から後方に延設された手掛け部と同じ方向に広幅の摺動部と、該摺動部の後端で前記スライド軸と螺着される取付部とを備えるものとし、前記正面板に、前記摺動部を前後摺動可能かつ回動不能にガイドする開口部を設けたことを特徴とする引出しのラッチ作動機構。
【請求項２】
前記開口部は、前記摺動部と略同一の外形寸法を有している請求項１に記載の引出しのラッチ作動機構。
【請求項３】
前記開口部内面には、前記摺動部をガイドし、摺動部の後面と当接可能なスライド緩衝材を配設した請求項１または２に記載の引出しのラッチ作動機構。
【請求項４】
前記取付部を、前記摺動部の略中央位置に後向きに突設された突起とし、該突起に、前記スライド軸の前端部の雄ネジが螺合される雌ネジを形成した請求項１乃至３のいずれかに記載の引出しのラッチ作動機構。
【請求項５】
前記把手を略口字状とし、長手方向に伸びる後方の一辺を摺動部とした請求項１乃至４のいずれかに記載の引出しのラッチ作動機構。
【発明の詳細な説明】
【技術分野】
【０００１】
本発明は、引出しの正面板の前面に設けたラッチ操作用の把手と、該把手の操作と連動して前後摺動するスライド軸と、該スライド軸と連動してスライド軸と直行する方向に摺動する係合部と該係合部の端部が係脱する筐体側の被係合部とを備えたラッチ装置と、を有する引出しのラッチ作動機構に関する。
【背景技術】
【０００２】
引出しの正面板側に設けたラッチ操作用の把手と、該把手の操作と連動して前後摺動するスライド軸と、該スライド軸と連動してスライド軸と直行する方向に摺動する係合部と該係合部の端部が係脱する筐体側の被係合部とを備えたラッチ装置と、を有する従来の引出しは、引出しを引き出す場合に、ラッチ操作用の把手を先ず指先で操作して係合部を被係合部から離脱させ、その離脱状体を保持した状態で引出しを手前側に引き出すように構成したものが知られている（特許文献１）。しかしながら、この従来の引出しは、指先でラッチ操作用の把手を操作した後に引き出さなければならず、引出し操作が２段操作となり使い勝手が悪かった。そこで、単に引き出す操作だけでラッチを解除できるようにした機構も開発されている（特許文献２）。この機構は左右広幅の手掛け部を持って引き出せばクランク軸が回動し、このクランク軸の回動によってラッチ軸を作動し引出の側方に設けたラッチが駆動されるので、引出操作だけで自動的にラッチが解除され便利である。
【０００３】
【特許文献１】特開平０９−１５８５８２号公報（段落００２８、図３，４）
【特許文献２】特開平２００５−１６２２３号公報（段落００３２、００３３、図３）
【発明の開示】
【発明が解決しようとする課題】
【０００４】
しかしながら、特許文献２においては、左右広幅の手掛け部の左右両側に後方に各々延設された一対の摺動部を備えているため、把手に対し偏心した力が加わった場合、一対の摺動部が同期して移動せず、クランク軸に捻れが生じるおそれがあるので、クランク軸が正常に回転するように、変位阻止部材としての棒受け部材をクランク軸の長手方向に渡って設ける必要があり、ラッチ機構の長寸化、複雑化が避けられなかった。
【０００５】
本発明は、このような問題点に着目してなされたもので、係合部の係脱を把手の引出し作用と同期して確実に行うことができるともに、引出しを引き出す際に、把手に対し偏心した力が加わった場合でも、長寸化、複雑化することなく把手の操作をスムーズに行うことができる引出しのラッチ作動機構を提供することを目的とする。
【課題を解決するための手段】
【０００６】
上記課題を解決するために、本発明の請求項１に記載の引出しのラッチ作動機構は、引出しの正面板の前面に設けたラッチ操作用の把手と、該把手の操作と連動して前後摺動するスライド軸と、該スライド軸と連動してスライド軸と直行する方向に摺動する係合部と該係合部が係脱する筐体側の被係合部とを備えたラッチ装置と、を有する引出しのラッチ作動機構において、前記把手を、前記正面板の前方に突出する左右または上下に広幅の手掛け部と、該手掛け部から後方に延設された手掛け部と同じ方向に広幅の摺動部と、該摺動部の後端で前記スライド軸と螺着される取付部とを備えるものとし、前記正面板に、前記摺動部を前後摺動可能かつ回動不能にガイドする開口部を設けたことを特徴としている。
この特徴によれば、摺動部の後端にスライド軸を螺着して係合部を作動することができるので、ラッチの作動機構が長寸化、複雑化することなく係合部の係脱を把手の引出し作用と同期して確実に行うことができる。また、把手の広幅の摺動部が、正面板に設けた開口部により摺動可能かつ回動不能にガイドされるので、把手の操作をスムーズに行うことができる。
【０００７】
本発明の請求項２に記載の引出しのラッチ作動機構は、請求項１に記載の引出しのラッチ作動機構であって、前記開口部は、前記摺動部と略同一の外形寸法を有していることを特徴としている。
この特徴によれば、かつ開口部が摺動部と略同一の外形寸法を有して摺動部をガイドしているので、開口部から正面板内部に異物が入り込む虞がなく、ラッチ機構の作動に支障を与えることがない。
【０００８】
本発明の請求項３に記載の引出しのラッチ作動機構は、請求項１または２に記載の引出しのラッチ作動機構であって、前記開口部内面には、前記摺動部をガイドし、摺動部の後面と当接可能なスライド緩衝材を配設したことを特徴としている。
この特徴によれば、摺動部をスライド緩衝材によって確実に摺動案内させることができるとともに、開口部内面の損傷を避けることができる。また、把手を引出位置から戻したときに摺動部がスライド緩衝材と当接することで、緩衝効果により振動や音を低減させることができる。
【０００９】
本発明の請求項４に記載の引出しのラッチ作動機構は、請求項１乃至３のいずれかに記載の引出しのラッチ作動機構であって、前記取付部を、前記摺動部の略中央位置に後向きに突設された突起とし、該突起に、前記スライド軸の前端部の雄ネジが螺合される雌ネジを形成したことを特徴としている。
この特徴によれば、摺動部の略中央部にスライド軸の前端部の雄ネジと螺合する突起を設けたので、雄ネジを介してスライド軸が突起に螺合されることから、把手を引く力がスライド軸にこじれることなく伝達されやすく、より円滑にスライド軸を操作して係合部を作動することができる。
【００１０】
本発明の請求項５に記載の引出しのラッチ作動機構は、請求項１乃至４のいずれかに記載の引出しのラッチ作動機構であって、前記把手を略口字状とし、長手方向に伸びる後方の一辺を摺動部としたことを特徴としている。
この特徴によれば、把手を略口字状とすることで堅牢かつ手掛け部を保持しやすい構造とすることができる。
【発明を実施するための最良の形態】
【００１１】
本発明の実施例を以下に説明する。
【実施例】
【００１２】
図１は、本発明の実施例における棚板および引出しにラッチ装置が適用された筐体の全体像を示す斜視図であり、図２は、引出しを正面側から見た正面板の中央部の分解組立斜視図であり、図３（ａ）は、係合部を備えたロック装置と把手とスライド緩衝材の取り付けを示す要部拡大側断面図であり、図３（ｂ）は、被係合部を備えた取付板を筐体側の枠体に取り付ける要部拡大側断面図であり、図４は、ロック装置と把手とスライド緩衝材の組み付け完了斜視図であり、図５は、図４のＡ−Ａ断面線を示す要部拡大側断面図であり、（ａ）はラッチ係合状態、（ｂ）はラッチ解除状態を示す。
【００１３】
図１に示されるように、筐体１には引出し２が上下３段で設けられ、それぞれの引出し２が筐体内部を区画する枠体４内に個々に収納されている。引出し２の前面には正面板３を有し、この正面板３の略中央位置には、把手５が前方に突出して設けられ、正面板３内にはスライド緩衝材９が介装されている。以下、本実施例の説明において、図１に図示された筐体１を対面した状態で見て、引出し２の引出し側を前方とし、筐体１の背面側を後方とし、左手側面側を左方、右手側面側を右方として説明する。
【００１４】
正面板３の後面の左右略中央位置には、上方に向けて突設した係合部に相当する係合突体４９を備えたロック装置３３が設けられ、枠体４には下方に向けて突設した被係合部に相当する係止突体９２が設けられ、この係合突体４９と係止突体９２を一組としてラッチ装置３０が構成されており、引出し２の収納時に係止突体９２に係合突体４９が係合されることで引出し２の前方移動が規制され、係止突体９２からの係合突体４９の係合解除は把手５の操作により行われるが、このラッチ装置の作動機構については後述において詳しく説明する。
【００１５】
図２に示されるように、把手５は前方に左右広幅な手掛け部６を備えるとともに、後方に手掛け部６と同じ方向に広幅な摺動部７を備え、両部６，７の左右端部同士が前後方向に連結された上面視略ロ字状の形状として、アルミ等の金属や硬質な合成樹脂材等で成型されており、摺動部７の左右中央部には円柱状の取付部に相当する突起８が後ろ向きに突設され、突起８の後面から前方に向けて雌ネジ孔８ａが形成されている。
【００１６】
スライド緩衝材９は緩衝性を有する軟質な合成樹脂材から成型され、把手５の摺動部７を前後方向に向けて摺動かつ回動不能に収納可能な摺接枠部１１が設けられているとともに、摺接枠部１１の左右中央部には後ろ向きに突設される円柱状の嵌合部１０が設けられ、嵌合部１０には把手５の突起８が前後方向に摺動できる摺動孔１０ａが形成されている。そして摺接枠部１１の後面１１ａは、把手５が前方に引き出されない状態では、常に摺動部７の背面と当接している。
【００１７】
ロック装置３３の外部形状は、硬質の合成樹脂材から成型された矩形の前面が開口する箱体３４と開口を閉塞する閉塞板７８とで構成され、箱体３４の上部には上下方向に貫通する案内口３６が形成され、上方に向けて突設した係合突体４９が上下移動可能になっている。箱体３４の後面の略中央位置には、前方先端部に雄ネジ部６３ａおよび後端に大径頭部６３ｂを備えたネジ杆６３が挿通できる挿通孔３７が形成されている。
【００１８】
閉塞板７８の略中央位置には、前方に向けて筒状の環状突体８２が突設され、この環状突体８２に、ネジ杆６３に外挿した筒状のスライド軸５９を前後方向に向けて摺動可能に保持するスライド軸摺動孔８２ａが形成されている。箱体３４の前方四隅には、固定ネジ８３を挿通可能な取付孔３４ａが各々形成されている。尚、ロック装置３３の内部構造については後述する。
【００１９】
正面板３の前面には、スライド緩衝材９の摺接枠部１１の外方を嵌合可能な開口部３ｂが開口形成され、開口部３ｂの左右中央位置から後方に向けて、正面板３を前後方向に貫通する環状の貫通孔３ａが開口部３ｂと連通して形成されている。正面板３の後面にはロック装置３３を固定ネジ８３で螺合するためのネジ孔３ｃが上下左右の４箇所に形成されている。
【００２０】
図３（ａ）に示されるように、正面板３の前方からはスライド緩衝材９が開口部３ｂに向けて圧入されることで、摺接枠部１１が開口部３ｂに嵌合固定されるとともに、嵌合部１０が貫通孔３ａに嵌合される。尚、摺接枠部１１の周囲には外方に向けて係止爪１０ｂが突設されており、スライド緩衝材９の正面板３からの取り外れを確実に防止している。そして、スライド緩衝材９の内部に向けて把手５を移動していくことで、突起８が摺動孔１０ａに向けて挿し込まれるとともに、摺動部７が摺接枠部１１内に摺動自在に、かつ回動不能に収納される。
【００２１】
次いで、正面板３の後方からは各固定ネジ８３がそれぞれ対応する取付孔３４ａを介して各ネジ孔３ｃに螺合されることで、ロック装置３３が正面板３の後面に対して堅固に取り付けられるとともに、閉塞板７８の環状突体８２が貫通孔３ａに向けて嵌合される。そして、ネジ杆６３を挿通孔３７から前方に向けて挿し込み、スライド軸５９を介して雄ネジ部６３ａを突起８の雌ネジ孔８ａに螺合することで、把手５がロック装置３３に連結固定される。
【００２２】
図３（ｂ）に示されるように、係止突体９２を備えた取付板９１は一対のネジ９４，９４を一対のネジ孔９１ａ，９１ａに螺着することで枠体４の下面に固定されている。この係止突体９２の後面は、ロック装置３３から突設される係合突体４９とロック時に係合され、引出し２の前方への移動が規制されている。係止突体９２の前面には下方に向けて傾斜面９２ａが形成され、係合突体４９との摺接面となる。
【００２３】
把手５がこのようにして正面板３の取り付けられると、図４に示されるように、把手５の広幅な摺動部７は、開口部３ｂに取り付けられた摺接枠部１１内に殆ど隙間なく収納されるので、把手５後部の突起８を軸とする軸周りの回動が規制され、把手５のガタツキが防止される。したがって、正面板３の前方から内部に異物が入り込む虞が回避され、把手５の前後方向の操作をスムーズにガイドすることができる。
【００２４】
そして、開口部３ｂの内面に配設された摺接枠部１１を有するスライド緩衝材９によって、開口部３ｂの内面の損傷を避けることができる。また、把手５の引出し操作の位置から元の収納位置に戻した際に、摺動部７の背面が緩衝材から成る摺接枠部１１の後面１１ａと当接することで、振動や音を低減させることができる。また、把手５の形状が略ロ字状に形成されているので、手掛け部６を保持し易く、堅牢な構成となっている。
【００２５】
次に、ロック装置３３の構造について図５に基づき説明するが、その具体的な構造は例えば、特許第２７６１２０１号「扉のロック装置」に示されるような公知のものであり、詳細についての説明は省略する。
【００２６】
図５（ａ）に示されるように、閉塞板７８で閉塞された箱体３４のスライダ収容凹部３５内には、上下方向に摺動可能なスライダ４６が収容され、この上面に上方に向けて突設される係合突体４９が形成されている。スライダ４６の下部と箱体３４との間にはスプリング５６が介在されており、スプリング５６の付勢力によってスライダ４６が通常上方に向けて押し上げられており、この係合突体４９は箱体３４の上部に形成された案内口３６を介して突出して枠体４側の係止突体９２に係合した状態に維持されている。
【００２７】
スライダ４６には前後に開口して連通された収容室４７が形成され、収容室４７内に側面視略三角形状のカム体６０が設けられている。カム体６０には、左右方向を向く支軸６１が延在されるとともに、左右方向を向く係合突起６２が突設されている。支軸６１は箱体３４の後部内面に設けられた軸受体３９に挿着支持されており、支軸６１を軸心としてカム体６０が回動自在になっている。収容室４７の上下略中間位置には、前後方向に向けてスライド軸５９が設けられており、スライド軸５９の前方部が閉塞板７８の環状突体８２に形成されたスライド軸摺動孔８２ａに対して前後摺動可能に保持されている。
【００２８】
スライド軸５９の後部には係合凹部５９ａが形成され、係合凹部５９ａ内にカム体６０の係合突起６２が係合されている。スライド軸５９には、予め箱体３４の後方の挿通孔３７から挿通されたネジ杆６３が前後方向に向けて挿通され、前方の雄ネジ部６３ａが突起８の雌ネジ孔８ａに螺合され把手５に固着されるとともに、後方の大径頭部６３ｂによってスライド軸５９のネジ杆６３からの抜けが防止されている。
【００２９】
このように、スライド軸５９の前端からネジ杆６３の雄ネジ部６３ａが突出して、摺動部７の左右中央位置に設けられた突起８に螺合されることから、手掛け部６を把持しながら把手５を前方に向けて引き出す際に、把手５を引く力がこじれることなくネジ杆６３を介してスライド軸５９に伝達されやすく、より円滑にスライド軸５９を操作して係合突体４９を作動することができる。
【００３０】
図５（ｂ）に示されるように、手掛け部６を把持しながら把手５が前方に向けて引き出されると、ネジ杆６３が同期してスライド軸５９を前方に向けて引き出す。そして、スライド軸５９がスライド軸摺動孔８２ａに沿って摺動することで、係合凹部５９ａに係合される係合突起６２が前方に移動される。この係合突起６２の前方移動によって、徐々にカム体６０が支軸６１回りに回動移動され、スプリング５６の付勢力に抗してスライダ４６が下方に押し下げられて、係合突体４９をスライダ収納凹部３５内に収納するとともに、係止突体９２からの係合が解除され、非ロック状態となって引出し２を前方に向けて引出し可能な状態となる。
【００３１】
そこで、引出し２を枠体４から引き出した状態で手掛け部６から手を離間すると、スプリング５６の付勢力によりスライダ４６が上方に向けて押し戻されることから、係合突体４９が係合可能な位置まで戻される。その後、手掛け部６を把持しながら把手５を後方に向けて押し込むと、係合突体４９が係止突体９２と当接し、更に押し込むことで係合突体４９の傾斜面９２ａに沿って係合突体４９の傾斜面４９ａが摺接しながら下動し、スプリング５６を圧縮してスライダ４６を押し下げる。さらに把手５を後方に向けて押し込むことで、係合突体４９が係止突体９２を通り抜けることにより、スプリング５６の付勢力によってスライダ４６が再度押し上げられ、係合突体４９が係止突体９２に係合されロック状態となって引出し不能となる。
【００３２】
以上の説明により実施例では、把手５の摺動部７の後端（突起８）に、スライド軸５９を螺着し、カム体６０を介して係合突体４９を作動することができるので、ラッチの作動機構が長寸化、複雑化することなく、係合部である係合突体４９と被係合部である係止突体９２との係脱を把手５の引出し作用と同期して確実に行うことができる。
【００３３】
更に、把手５の広幅の摺動部７が、正面板３に設けた開口部３ｂにより、スライド緩衝材９を介して摺動可能かつ回動不能にガイドされるので、把手５の左右に延びる手掛け部６を前方に引き出す際に、把手５に対し偏心した力が加わった場合でも、把手５の操作をスムーズに行うことができ、容易にスライド軸５９を介して係合突体４９を確実かつ円滑に作動することができる。
【００３４】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、ネジ杆６３を介して螺着されるスライド軸５９の取付部を突起８としたことで、把手５を引く力がスライド軸５９に伝達しやすいことから好ましいが、本発明のスライド軸５９の取付位置はこれに限定されるものではなく、突起８を設けずに摺動部７の一部をスライド軸５９の取付部としてもよく、この構成であっても把手５の引出し操作によって、摺動部７がガイドされることから、スライド軸５９が確実に前方に引き出され係合突起４９が作動される。
【００３５】
また、上記実施例では、スライド緩衝材９を正面板３の開口部３ｂに設けたことで、開口部３ｂと摺動部７とが直に当接することなく互いが保護されるとともに、スライド緩衝材９と摺動部７の間隙が近接した状態であるので、より確実に摺動部７が前後方向にガイドされることから好ましいが、スライド緩衝材９を必ずしも設ける必要はなく、正面板３の開口部３ｂに直接摺動部７を案内させるようにしても良い。
【００３６】
また、上記実施例では、正面板３の開口部３ｂを左右に向けて広幅に形成し、この左右方向に沿って把手５を横向きで取り付けていることから、手掛け部６に手を掛けやすく操作を行いやすいことから好ましいが、本発明はこれに限定されるものではなく、例えば、開口部３ｂを上下方向に向けて広幅に形成し、把手５を縦向きで取り付けるようにしてもよく、この場合にも把手５の操作を容易に行うことができる。
【００３７】
また、上記実施例では、スライド軸５９がネジ杆６３で把手５に連結されることから、取り付けが容易で簡便な構成となっていることから好ましいが、本発明はこれに限定されるものではなく、スライド軸５９の前端部に前方を向く雄ネジを一体で設け、直に把手５に連結するようにしてもよい。
【図面の簡単な説明】
【００３８】
【図１】本発明の実施例における棚板および引出しにラッチ装置が適用された筐体の全体像を示す斜視図である。
【図２】引出しを正面側から見た正面板の中央部の分解組立斜視図である。
【図３】（ａ）は、係合部を備えたロック装置と把手とスライド緩衝材の取り付けを示す要部拡大側断面図であり、（ｂ）は、被係合部を備えた取付板を筐体側の枠体に取り付ける要部拡大側断面図である。
【図４】ロック装置と把手とスライド緩衝材の組み付け完了斜視図である。
【図５】図４のＡ−Ａ断面線を示す要部拡大側断面図であり、（ａ）はラッチ係合状態、（ｂ）はラッチ解除状態を示す。
【符号の説明】
【００３９】
１                家具等の筐体
２                引出し
３                正面板
３ａ              貫通孔（開口部の一部）
３ｂ              開口部
３ｃ              ネジ孔
４                枠体
４ａ              螺合穴
５                把手
６                手掛け部
７                摺動部
８                突起（取付部）
８ａ              雌ネジ孔
９                スライド緩衝材
１０              嵌合部
１０ａ            摺動孔
１０ｂ            係止爪
１１              摺接枠部
１１ａ            後面
３０              ラッチ装置
３３              ロック装置
３４              箱体
３６              案内口
３７              挿通孔
４９              係合突体（係合部）
４９ａ            傾斜面
５９              スライド軸
６３              ネジ杆
６３ａ            雄ネジ部
６３ｂ            大径頭部
７８              閉塞板
８２              環状突体
８２ａ            スライド軸摺動孔
９１              取付板
９２              係止突体（被係合部）
９２ａ            傾斜面
【図１】
2007224533.tif 000003
【図２】
2007224533.tif 000004
【図３】
2007224533.tif 000005
【図４】
2007224533.tif 000006
【図５】
2007224533.tif 000007